(57)【要約】【課題】本発明は、電子機器と携帯端末への操作関連情報の出力を、操作性を向上させる状態で行う。【解決手段】画像形成システム１は、画像形成装置Ｇｋの記憶部４５が、ユーザによる操作毎に、画像形成装置Ｇｋの操作表示部４１と携帯端末ＫＴの操作表示部５１に出力する操作関連情報を、ユーザの位置情報に関連付けて記憶している。画像形成装置Ｇｋは、ユーザによる操作の必要な要求操作が発生すると、制御権判断部４３が、該要求操作と位置検出部４４の取得するユーザの現在位置に基づいて記憶部４５を参照して、該要求操作に対応する操作の制御権を有する操作表示部４１、５１を判断する。ジョブ制御部４２は、該制御権に基づいて、操作関連情報のうち、画像形成装置Ｇｋの操作表示部４１に出力させる操作関連情報と携帯端末ＫＴの操作表示部５１に出力させる操作関連情報を決定し、決定した操作関連情報を、操作表示部４１と操作表示部５１に出力させる。【選択図】          図２
2016115222.tif 000002
【特許請求の範囲】
【請求項１】
情報報知手段と操作手段を備え該情報報知手段への情報報知と該操作手段からの操作に応じて情報処理を行う電子機器と、該電子機器と通信して該電子機器の操作に必要な情報を報知出力する情報報知手段と該電子機器の操作情報を入力する操作手段を備えた携帯端末と、を備えた操作情報出力システムであって、
ユーザの現在の位置情報を取得する位置情報取得手段と、
前記ユーザによる操作毎に、前記電子機器の前記情報報知手段と前記携帯端末の前記情報報知手段に出力させる該操作に必要な操作関連情報を該ユーザの位置情報に関連付けて記憶する記憶手段と、
前記電子機器に対する前記ユーザによる操作の必要な要求操作が発生すると、該要求操作と該ユーザの現在の位置情報に基づいて前記記憶手段を参照して、該要求操作に対応する前記操作関連情報のうち、該電子機器の前記情報報知手段に出力させる操作関連情報と前記携帯端末の前記情報報知手段に出力させる操作関連情報を決定する情報決定手段と、
前記決定に応じた前記操作関連情報を、前記電子機器の前記情報報知手段と前記携帯端末の前記情報報知手段に出力させる情報出力制御手段と、
を備えていることを特徴とする操作情報出力システム。
【請求項２】
前記情報決定手段は、
前記要求操作と前記ユーザの現在の位置情報に基づいて、前記電子機器に対する操作制御権を該電子機器と前記携帯端末のいずれの前記操作手段に付与するかを決定し、該決定に基づいて前記操作関連情報を決定することを特徴とする請求項１記載の操作情報出力システム。
【請求項３】
前記操作情報出力システムは、
前記電子機器の前記情報報知手段と前記携帯端末の前記情報報知手段における前記操作関連情報の出力内容を切り替える切替手段を、
さらに備え、
前記情報出力制御手段は、
前記切替手段による切替操作に応じて、前記電子機器の前記情報報知手段と前記携帯端末の前記情報報知手段における前記操作関連情報の出力内容を切り替えることを特徴とする請求項１または請求項２記載の操作情報出力システム。
【請求項４】
前記記憶手段は、
前記操作毎に、該操作を前記ユーザが実行する際に適切な適切ユーザ位置と前記電子機器の前記情報報知手段と前記携帯端末の前記情報報知手段に出力する前記操作関連情報を記憶しており、
前記情報決定手段は、
前記適切ユーザ位置とユーザの現在の位置とに所定以上のずれがあると、前記電子機器と前記携帯端末の前記情報報知手段うち、少なくともいずれかの情報報知手段に、該ユーザを該適切ユーザ位置へ案内する案内情報を前記操作関連情報として出力させることを特徴とする請求項１から請求項３のいずれかに記載の操作情報出力システム。
【請求項５】
前記記憶手段は、
特定の前記操作に対して、該操作毎に、前記ユーザの位置情報とは無関係に前記電子機器の前記情報報知手段と前記携帯端末の前記情報報知手段に出力させる該操作に必要な操作関連情報を記憶していることを特徴とする請求項１から請求項４のいずれかに記載の操作情報出力システム。
【請求項６】
前記記憶手段は、
特定の前記操作としての各種文字入力操作に対して、該操作毎に、前記ユーザの位置情報とは無関係に、該ユーザによる該操作の頻度が高い方の前記操作手段に対応させて前記操作関連情報を記憶することを特徴とする請求項５記載の操作情報出力システム。
【請求項７】
情報処理を行う電子機器と携帯端末とを有する操作情報出力システムであって、
前記携帯端末は、
前記電子機器と通信する通信手段と、
各種情報を報知出力する情報報知手段と、
各種情報を操作入力する操作手段と、
前記通信手段の受信した情報を前記情報報知手段に報知出力させ、前記操作手段で入力された情報を該通信手段に前記電子機器へ送信させる通信制御手段と、
を備え、
前記電子機器は、
前記携帯端末と通信する通信手段と、
各種情報を報知出力する情報報知手段と、
各種情報を操作入力する操作手段と、
前記通信手段の受信した前記携帯端末からの情報及び前記操作手段から入力された情報に基づいて情報処理を行う情報処理手段と、
前記通信手段による前記携帯端末との通信を制御する通信制御手段と、
ユーザの現在の位置情報を取得する位置情報取得手段と、
前記ユーザによる操作毎に、前記電子機器の前記情報報知手段と前記携帯端末の前記情報報知手段に出力させる該操作に必要な操作関連情報を該ユーザの位置情報に関連付けて記憶する記憶手段と、
前記電子機器に対する前記ユーザによる操作の必要な要求操作が発生すると、該要求操作と該ユーザの現在の位置情報に基づいて前記記憶手段を参照して、該要求操作に対応する前記操作関連情報のうち、該電子機器の前記情報報知手段に出力させる操作関連情報と前記携帯端末の前記情報報知手段に出力させる操作関連情報を決定する情報決定手段と、
前記決定に応じた前記操作関連情報を、前記電子機器の前記情報報知手段と前記携帯端末の前記情報報知手段に出力させる情報出力制御手段と、
を備えていることを特徴とする操作情報出力システム。
【請求項８】
前記記憶手段は、
特定の前記操作に対して、該操作毎に、前記ユーザの位置情報とは無関係に前記電子機器の前記情報報知手段と前記携帯端末の前記情報報知手段に出力させる該操作に必要な操作関連情報を記憶していることを特徴とする請求項７記載の操作情報出力システム。
【請求項９】
情報報知手段と操作手段を備え該情報報知手段への情報報知と該操作手段からの操作に応じて情報処理を行うとともに、操作手段と情報報知手段を備えた携帯端末と通信して、該操作手段からの操作内容を受け取り、また、該情報報知手段に報知情報を送信する電子機器であって、
ユーザの現在の位置情報を取得する位置情報取得手段と、
前記ユーザによる操作毎に、前記電子機器の前記情報報知手段と前記携帯端末の前記情報報知手段に出力させる該操作に必要な操作関連情報を該ユーザの位置情報に関連付けて記憶する記憶手段と、
前記電子機器に対する前記ユーザによる操作の必要な要求操作が発生すると、該要求操作と該ユーザの現在の位置情報に基づいて前記記憶手段を参照して、該要求操作に対応する前記操作関連情報のうち、該電子機器の前記情報報知手段に出力させる操作関連情報と前記携帯端末の前記情報報知手段に出力させる操作関連情報を決定する情報決定手段と、
前記決定に応じた前記操作関連情報を、前記電子機器の前記情報報知手段と前記携帯端末の前記情報報知手段に出力させる情報出力制御手段と、
を備えていることを特徴とする電子機器。
【請求項１０】
前記情報決定手段は、
前記要求操作と前記ユーザの現在の位置情報に基づいて、前記電子機器に対する操作制御権を該電子機器と前記携帯端末のいずれの前記操作手段に付与するかを決定し、該決定に基づいて前記操作関連情報を決定することを特徴とする請求項９記載の電子機器。
【請求項１１】
前記電子機器は、
前記電子機器の前記情報報知手段と前記携帯端末の前記情報報知手段における前記操作関連情報の出力内容を切り替える切替手段を、
さらに備え、
前記情報出力制御手段は、
前記切替手段による切替操作に応じて、前記電子機器の前記情報報知手段と前記携帯端末の前記情報報知手段における前記操作関連情報の出力内容を切り替えることを特徴とする請求項９または請求項１０記載の電子機器。
【請求項１２】
前記記憶手段は、
前記操作毎に、該操作を前記ユーザが実行する際に適切な適切ユーザ位置と前記電子機器の前記情報報知手段と前記携帯端末の前記情報報知手段に出力する前記操作関連情報を記憶しており、
前記情報決定手段は、
前記適切ユーザ位置とユーザの現在の位置とに所定以上のずれがあると、前記電子機器と前記携帯端末の前記情報報知手段うち、少なくともいずれかの情報報知手段に、該ユーザを該適切ユーザ位置へ案内する案内情報を出力させることを特徴とする請求項９から請求項１１のいずれかに記載の電子機器。
【請求項１３】
前記記憶手段は、
特定の前記操作に対して、該操作毎に、前記ユーザの位置情報とは無関係に前記電子機器の前記情報報知手段と前記携帯端末の前記情報報知手段に出力させる該操作に必要な操作関連情報を記憶していることを特徴とする請求項９から請求項１２のいずれかに記載の電子機器。
【請求項１４】
前記記憶手段は、
特定の前記操作としての各種文字入力操作に対して、該操作毎に、前記ユーザの位置情報とは無関係に、該ユーザによる該操作の頻度が高い方の前記操作手段に対応させて前記操作関連情報を記憶することを特徴とする請求項１３記載の電子機器。
【請求項１５】
前記電子機器は、
前記情報処理として画像処理を行う画像形成装置であることを特徴とする請求項９から請求項１４のいずれかに記載の電子機器。
【請求項１６】
情報報知手段と操作手段を備え該情報報知手段への情報報知と該操作手段からの操作に応じて情報処理を行う電子機器と、該電子機器と通信して該電子機器の操作に必要な情報を報知出力する情報報知手段と該電子機器の操作情報を入力する操作手段を備えた携帯端末と、を備えた操作情報出力システムの実行する操作情報出力方法であって、
ユーザの現在の位置情報を取得する位置情報取得処理ステップと、
前記電子機器に対する前記ユーザによる操作の必要な要求操作が発生すると、該要求操作と該ユーザの現在の位置情報に基づいて、前記ユーザによる操作毎に該電子機器の前記情報報知手段と前記携帯端末の前記情報報知手段に出力させる該操作に必要な操作関連情報を該ユーザの位置情報に関連付けて記憶する記憶手段を参照して、該要求操作に対応する該操作関連情報のうち、該電子機器の該情報報知手段に出力させる操作関連情報と該携帯端末の該情報報知手段に出力させる操作関連情報を決定する情報決定処理ステップと、
前記決定に応じた前記操作関連情報を、前記電子機器の前記情報報知手段と前記携帯端末の前記情報報知手段に出力させる情報出力制御処理ステップと、
を有していることを特徴とする操作情報出力方法。
【請求項１７】
情報報知手段と操作手段を備え該情報報知手段への情報報知と該操作手段からの操作に応じて情報処理を行うとともに、操作手段と情報報知手段を備えた携帯端末と通信して、該操作手段からの操作内容を受け取り、また、該情報報知手段に報知情報を送信する電子機器の搭載する操作情報出力プログラムであって、
制御プロセッサに、
ユーザの現在の位置情報を取得する位置情報取得処理と、
前記電子機器に対する前記ユーザによる操作の必要な要求操作が発生すると、該要求操作と該ユーザの現在の位置情報に基づいて、前記ユーザによる操作毎に該電子機器の前記情報報知手段と前記携帯端末の前記情報報知手段に出力させる該操作に必要な操作関連情報を該ユーザの位置情報に関連付けて記憶する記憶手段を参照して、該要求操作に対応する該操作関連情報のうち、該電子機器の該情報報知手段に出力させる操作関連情報と該携帯端末の該情報報知手段に出力させる操作関連情報を決定する情報決定処理と、
前記決定に応じた前記操作関連情報を、前記電子機器の前記情報報知手段と前記携帯端末の前記情報報知手段に出力させる情報出力制御処理と、
を実行させることを特徴とする操作情報出力プログラム。
【発明の詳細な説明】
【技術分野】
【０００１】
本発明は、操作情報出力システム、電子機器、操作情報出力方法及び操作情報出力プログラムに関し、詳細には、電子機器の操作情報を電子機器と携帯端末へ出力する操作情報出力システム、電子機器、操作情報出力方法及び操作情報出力プログラムに関する。
【背景技術】
【０００２】
プリンタ装置、複合装置等の電子機器は、近年、スマートフォン、タブレット等の携帯端末からの操作情報を受け取って、該操作情報に応じて動作処理することで、操作性の向上が図られてきている。
【０００３】
そして、従来、情報処理装置と、前記情報処理装置と通信可能な携帯端末と、前記情報処理装置及び前記携帯端末のそれぞれと通信可能な連携管理装置とを備え、前記連携管理装置の制御に基づいて前記情報処理装置と前記携帯端末とが連携して動作可能な情報処理システムであって、前記情報処理装置と前記携帯端末とは、それぞれ、表示装置及び前記表示装置の表示内容を制御する表示制御手段とを有し、前記連携管理装置は、前記情報処理装置と前記携帯端末とが連携した状態で、前記情報処理装置に対して行われたユーザによる操作及び前記携帯端末に対して行われたユーザによる操作のうち少なくともいずれか一方を検出する検出手段と、前記検出手段の検出内容に応じて、前記情報処理装置及び前記携帯端末のうち一方を主の装置とし、他方を従の装置とする判定を行う判定手段とを備え、前記情報処理装置と前記携帯端末との少なくとも一方の前記表示制御手段は、前記判定手段による判定内容に基づいて、前記表示装置の表示内容を切り替える、情報処理システムが提案されている（特許文献１参照）。
【０００４】
すなわち、この従来技術は、連携管理装置が、情報処理装置と携帯端末のいずれかの操作を検出すると、一方を主装置、他方を従の装置と判定して、判定内容に基づいて表示内容を切り換えている。
【０００５】
また、従来、設定されたジョブを実行する画像処理装置であって、携帯端末と無線で通信する通信手段と、前記携帯端末と当該画像形成装置の間の距離を推定する距離推定手段と、前記距離推定手段が推定した距離に応じて、前記携帯端末が表示すべき画面を決定する画面決定手段と、前記画面決定手段が決定した画面の画面構成情報を生成する画面構成情報生成手段と、前記通信手段が前記画面構成情報を前記携帯端末に送信し、前記携帯端末から受信したジョブの設定条件に基づきジョブの実行を制御するジョブ実行制御手段と、を有する画像処理装置が提案されている（特許文献２参照）。
【０００６】
すなわち、この従来技術は、画像処理装置が、携帯端末との距離を推定して、その距離に基づいた画面構成情報を携帯端末へ送信して、表示させている。
【発明の概要】
【発明が解決しようとする課題】
【０００７】
しかしながら、上記従来技術にあっては、いずれの装置で操作されたか、または、携帯端末との距離に基づいてのみ、表示内容を決定しているため、操作性を向上させる上で、改良の必要があった。
【０００８】
すなわち、画像形成装置等の電子機器と携帯端末を連携させた操作においては、電子機器と携帯端末のいずれにどのような情報を出力させるかは、いずれの装置で操作されたかや電子機器と携帯端末との距離のみで決定するだけでは、適切な情報の出力を行うことができない。例えば、電子機器に対してユーザが行う操作によっては、電子機器自体に、例えば、操作情報を表示出力したほうが、操作性を向上させることができるが、操作によっては、携帯端末に操作情報を表示出力したほうが、操作性を向上させることができる場合がある。したがって、従来技術は、操作性を向上させて、利用性を向上させる上で、改良の必要があった。
【０００９】
そこで、本発明は、電子機器と携帯端末への操作関連情報の出力を、操作性を向上させる状態で行うことを目的としている。
【課題を解決するための手段】
【００１０】
上記目的を達成するために、請求項１記載の操作情報出力システムは、情報報知手段と操作手段を備え該情報報知手段への情報報知と該操作手段からの操作に応じて情報処理を行う電子機器と、該電子機器と通信して該電子機器の操作に必要な情報を報知出力する情報報知手段と該電子機器の操作情報を入力する操作手段を備えた携帯端末と、を備えた操作情報出力システムであって、ユーザの現在の位置情報を取得する位置情報取得手段と、前記ユーザによる操作毎に、前記電子機器の前記情報報知手段と前記携帯端末の前記情報報知手段に出力させる該操作に必要な操作関連情報と該ユーザの位置情報を関連付けて操作関連情報として記憶する記憶手段と、前記電子機器に対する前記ユーザによる操作の必要な要求操作が発生すると、該要求操作と該ユーザの現在の位置情報に基づいて前記記憶手段を参照して、該要求操作に対応する前記操作関連情報のうち、前記電子機器の前記情報報知手段に出力させる操作関連情報と前記携帯端末の前記情報報知手段に出力させる操作関連情報を決定する情報決定手段と、前記決定に応じた前記操作関連情報を、前記電子機器の前記情報報知手段と前記携帯端末の前記情報報知手段に出力させる情報出力制御手段と、を備えていることを特徴としている。
【発明の効果】
【００１１】
本発明によれば、電子機器と携帯端末への操作関連情報の出力を、操作性を向上させる状態で行うことができる。
【図面の簡単な説明】
【００１２】
【図１】本発明の第１実施例を適用した画像形成システムの概略構成図。
【図２】画像形成システムの機能ブロック図。
【図３】制御権判定テーブルの一例を示す図。
【図４】他の制御権判定テーブルの例を示す図。
【図５】ジョブ実行開始シーケンス図。
【図６】アプリ起動前の携帯端末と画像形成装置の画面表示の一例を示す図。
【図７】アプリ起動後の携帯端末と画像形成装置の画面表示の一例を示す図。
【図８】携帯端末でジョブ設定値入力が行われているときの携帯端末と画像形成装置の画面表示の一例を示す図。
【図９】携帯端末でジョブ実行開始要求時の携帯端末と画像形成装置の画面表示の一例を示す図。
【図１０】画像形成装置におけるジョブ制御シーケンス図。
【図１１】制御権判断処理を示すフローチャート。
【図１２】制御端末が携帯端末であるときの操作関連情報出力制御シーケンス図。
【図１３】発生イベントが用紙ミスフィードで制御端末が携帯端末であるときの画面表示の一例を示す図。
【図１４】制御端末が本体操作表示部であるときの操作関連情報出力制御シーケンス図。
【図１５】発生イベントが用紙ミスフィードで制御端末が本体操作表示部であるときの画面表示の一例を示す図。
【図１６】制御権判定不可のときの操作関連情報出力制御シーケンス図。
【図１７】発生イベントが用紙ミスフィードで制御権判定不可のときの画面表示の一例を示す図。
【図１８】発生イベントが解除されジョブ再開時の画面表示の一例を示す図。
【図１９】画像形成装置がプロダクションプリンタ装置でありイベントとしてステープル補給が発生したときの画面表示の一例を示す図。
【図２０】情報入力の個別イベント用制御権判定テーブルの一例を示す図。
【図２１】パスワード入力イベントにおける画面表示の一例を示す図。
【図２２】テンキー入力イベントにおける画面表示の一例を示す図。
【図２３】キーボード入力イベントにおける画面表示の一例を示す図。
【図２４】文字入力イベントにおける画面表示の一例を示す図。
【図２５】電話番号入力イベントにおける画面表示の一例を示す図。
【図２６】制御端末切替画面の一例を示す図。
【図２７】制御端末切替処理シーケンス図。
【図２８】ディスプレイの大きさを考慮した操作関連情報の画面表示の一例を示す図。
【発明を実施するための形態】
【００１３】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１４】
図１〜図２８は、本発明の操作情報出力システム、電子機器、操作情報出力方法及び操作情報出力プログラムの第１実施例を示す図であり、図１は、本発明の操作情報出力システム、電子機器、操作情報出力方法及び操作情報出力プログラムの第１実施例を適用した画像形成システム１の概略構成図である。
【００１５】
図１において、画像形成システム１は、電子機器としての画像形成装置Ｇｋと携帯端末ＫＴとが、有線または無線のＬＡＮ（Local Area Network）等のネットワークＮＷによって接続されている。なお、画像形成装置Ｇｋと携帯端末ＫＴとは、上記接続形態に限るものではなく、例えば、ＮＦＣ（Near Field Communications）等の近距離無線通信方式で接続されていてもよい。また、画像形成システム１は、図１では、画像形成装置Ｇｋと携帯端末ＫＴがそれぞれ１台ずつ示されているが、画像形成装置Ｇｋと携帯端末ＫＴの数は、１台に限るものではなく、それぞれ複数台接続されていてもよい。画像形成システム１は、画像形成装置Ｇｋと携帯端末ＫＴへの操作関連情報の出力を、利用性が良好な状態で行う操作情報出力システムとして構築されている。
【００１６】
画像形成装置Ｇｋは、プリンタ装置、複合装置、プロダクションプリンタ装置等が用いられる。
【００１７】
画像形成装置Ｇｋは、読取部１１、操作表示部１２、ＣＰＵ（Central Processing Unit）１３、ＲＯＭ（Read Only Memory）１４、ＲＡＭ（Random Access Memory）１５、印刷部１６、画像メモリ１７、ハードディスク（ＨＤＤ）１８、人感センサ１９及びＮＩＣ（Network Interface Card）２０等を備えている。画像形成装置Ｇｋは、上記各部がバス２１で接続されている。
【００１８】
ＲＯＭ１４は、画像形成装置Ｇｋとしての基本プログラム、本発明の操作情報出力プログラム及び必要なシステムデータ等が格納されている。なお、これらのプログラムは、ＲＯＭ１４に格納されている場合に限るものではなく、ハードディスク１８に格納されていてもよいが、本実施例の説明では、ＲＯＭ１４に格納されているものとして説明する。
【００１９】
ＲＡＭ１５は、ＣＰＵ１３のワークメモリとして利用され、各種データを一時記憶する。
【００２０】
ＣＰＵ１３は、ＲＯＭ１４内のプログラムに基づいてＲＡＭ１５をワークメモリとして利用して、画像形成装置Ｇｋの各部を制御し、画像形成装置Ｇｋとしての基本処理を実行するとともに、本発明の操作情報出力方法を実行する。
【００２１】
読取部１１は、例えば、ＣＣＤ（Charge Coupled Device ）、ＣＭＯＳ（Complementary Metal Oxide Semiconductor ）、ＣＩＳ（Contact Image Sensor）等をを利用したイメージスキャナ等が利用されている。読取部１１は、一般的に、ＡＤＦ（Auto Document Feeder）を備えている。ＡＤＦには、複数枚の原稿がセットされ、ＡＤＦは、セットされた原稿を１枚ずつ読取部１１の原稿読取位置に送給する。読取部１１は、ＡＤＦから搬送されてきた原稿を走査し、原稿の画像を所定の解像度で読み取って、２値化して出力する。
【００２２】
印刷部１６は、電子写真方式、インク吐出方式等の各種画像記録方式の印刷部が用いられる。印刷部１６は、例えば、電子写真方式のカラー印刷部の場合、カラー印刷部では、各色毎にトナー画像を順次用紙を搬送する搬送ベルトまたは転写ベルトに転写する画像記録ユニットが、順次並んで配設されている。この場合、画像記録ユニットは、それぞれ感光体、帯電部、現像部、転写部及びクリーニング部等を備えている。各画像記録ユニットは、回転駆動される感光体上に、帯電部によって一様に帯電された後、光書込部によって各色の画像データに基づいて変調された露光光が照射されることで、静電潜像が形成される。画像記録ユニットは、静電潜像の形成された感光体に、現像部により対応する色のトナーを供給することで現像してトナー画像を形成する。画像記録ユニットは、給紙部から感光体と転写部との間に搬送されてくる用紙に、感光体上の各色のトナー画像を順次重ねて用紙に転写させてカラートナー画像を作像する。印刷部１６は、各色の画像記録ユニットで各色のトナー画像が順次重ねてカラートナー画像の転写された用紙を定着部に搬送し、定着部で該用紙を加熱・加圧して、カラートナー画像を用紙に定着させる。また、印刷部１６は、インク吐出方式の場合、例えば、間欠記録方式で画像形成する。すなわち、印刷部１６は、インク吐出方式の場合、各色のインクノズルを搭載する記録ヘッドを、主走査方向に移動させつつ、停止している用紙に向かって、画像データに基づいてインク滴を吐出させて画像形成する。次に、印刷部１６は、用紙を、１回の主走査で画像形成するライン幅だけ用紙を、副走査方向に搬送して停止させ、同様に、キャリッジを主走査方向に移動させながら、インク滴を吐出させて１走査分の画像を形成するという処理を順次繰り返し行なって画像形成する。
【００２３】
操作表示部１２は、画像形成装置Ｇｋを操作するのに必要な各種キーを備えるとともに、ディスプレイ（例えば、液晶ディスプレイ）やＬＥＤ（Light Emitting Diode）等のランプを備えている。操作表示部１２は、操作キーから、画像形成装置Ｇｋを利用した各種動作処理に必要な各種操作が行われ、ディスプレイに、操作キーから入力された命令内容や画像形成装置Ｇｋからユーザに通知する各種情報（特に、操作関連情報）が表示される。操作関連情報は、詳細には後述するが、ユーザによる各種操作を案内する案内情報、ユーザを操作箇所へ案内する案内情報等である。なお、ディスプレイは、タッチパネルが付加されていてもよく、この場合、ディスプレイ上に機能ボタンを表示して、機能ボタンによる操作入力を可能とする。
【００２４】
画像メモリ１７は、電池バックアップＲＡＭ、ハードディスク等の不揮発性メモリで構成され、ＣＰＵ１３の制御下で、読取部１１の読み取った原稿の画像データ、受信した画像データ等を格納する。
【００２５】
ハードディスク１８は、プログラム、画像データ等をＣＰＵ１３の制御下で記憶し、また、画像形成装置Ｇｋを利用することのできるユーザに関する認証情報等を格納している。
【００２６】
人感センサ１９は、発光素子としてのＬＥＤと受光素子としてのフォトトランジスタ等で構成され、検知物としての人体の有無を検知して、検知結果をＣＰＵ１３に出力する。なお、人感センサ１９のＬＥＤとしては、その人体検知性能から、赤外線ＬＥＤが用いられており、人感センサ１９の設置位置から所定範囲のユーザの有無及び方向を検知する。
【００２７】
ＮＩＣ２０は、ネットワークＮＷに接続され、ＣＰＵ１３の制御下で、ネットワークＮＷ上の他の画像形成装置Ｇｋ及び携帯端末ＫＴと通信して、データ及び各種情報、特に、操作関連情報と操作関連情報の制御に必要な制御信号の授受を行う。
【００２８】
携帯端末ＫＴは、操作表示部３１、ＣＰＵ３２、ＲＯＭ３３、ＲＡＭ３４、画像メモリ３５及びＮＩＣ３６等を備えており、各部は、バス３７で接続されている。
【００２９】
操作表示部３１は、携帯端末ＫＴ及び間接的に画像形成装置Ｇｋを操作するのに必要な各種キーを備えるとともに、ディスプレイ（例えば、液晶ディスプレイ）やＬＥＤ等のランプを備えている。操作表示部３１は、操作キーから、携帯端末ＫＴ及び画像形成装置Ｇｋの各種動作処理に必要な各種操作が行われる。また、操作表示部３１は、ディスプレイに、操作キーから入力された命令内容や携帯端末ＫＴ及び画像形成装置Ｇｋからユーザに通知する各種情報（特に、操作関連情報）が表示する。操作関連情報は、上記同様である。なお、ディスプレイは、通常、タッチパネルが付加されており、この場合、ディスプレイ上に機能ボタンを表示して、機能ボタンによる操作入力を可能とする。
【００３０】
ＲＯＭ３３は、携帯端末ＫＴとしての基本プログラム、本発明の操作情報出力方法のうち携帯端末ＫＴが実行すべき部分の操作情報出力プログラム及び必要なシステムデータ等が格納されている。
【００３１】
ＲＡＭ３４は、ＣＰＵ３２のワークメモリとして利用され、各種データを一時記憶する。
【００３２】
ＣＰＵ３２は、ＲＯＭ３３のプログラムに基づいて、ＲＡＭ２４をワークメモリと指定利用して、携帯端末ＫＴの各部を制御して、携帯端末ＫＴとしての基本処理を実行するとともに、本発明の操作情報出力方法を実行する。
【００３３】
画像メモリ３５は、不揮発性メモリで構成され、携帯端末ＫＴ内部で生成されたデータや他の装置、例えば、画像形成装置Ｇｋから受信したデータを格納する。
【００３４】
ＮＩＣ３６は、ネットワークＮＷに接続され、ＣＰＵ３２の制御下で、ネットワークＮＷ上の画像形成装置Ｇｋ及び他の携帯端末ＫＴと通信して、データ及び各種情報、特に、操作関連情報と操作関連情報の制御に必要な制御信号の授受を行う。
【００３５】
そして、画像形成システム１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＵＳＢ（Universal Serial Bus）メモリ、ＳＤ（Secure Digital）カード、ＭＯ（Magneto-Optical Disc）等のコンピュータが読み取り可能な記録媒体に記録されている本発明の操作情報出力方法を実行する操作情報出力プログラムを読み込んで、画像形成装置ＧｋのＲＯＭ１４やハードディスク１８及び携帯端末ＫＴのＲＯＭ３３に導入することで、後述する電子機器である画像形成装置Ｇｋと携帯端末ＫＴへの操作関連情報の出力を、操作性を向上させる状態で行う操作情報出力方法を実行する画像形成装置（電子機器）Ｇｋと携帯端末ＫＴを備えた画像形成システムとして構築されている。この操作情報出力プログラムは、アセンブラ、Ｃ、Ｃ＋＋、Ｃ＃、Ｊａｖａ（登録商標）等のレガシープログラミング言語やオブジェクト指向プログラミング言語等で記述されたコンピュータ実行可能なプログラムであり、上記記録媒体に格納して頒布することができる。
【００３６】
画像形成システム１は、上記操作情報出力プログラムが導入されることで、画像形成装置Ｇｋ及び携帯端末ＫＴに、図２に示すような機能ブロックが構築される。すなわち、画像形成装置Ｇｋは、図２に示すように、操作表示部４１、ジョブ制御部４２、制御権判断部４３、位置検出部４４、記憶部４５、エンジン制御部４６及びデータ送受信部４７が構築される。また、携帯端末ＫＴは、操作表示部５１、ジョブ制御部５２、記憶部５３及びデータ送受信部５４が構築される。
【００３７】
画像形成装置Ｇｋの操作表示部４１は、操作表示部１２により構築される。操作表示部４１は、特に、操作関連情報の表示（出力）を行ない、入力される操作情報を取得してジョブ制御部４２へ渡す処理を行う。したがって、操作表示部４１は、各種情報を報知出力する情報報知手段及び各種情報を操作入力する操作手段として機能している。
【００３８】
記憶部（記憶手段）４５は、ＲＯＭ１４、ＲＡＭ１５、画像メモリ１７、ハードディスク１８等で構築され、ジョブ制御部４２の制御下で、画像形成装置Ｇｋにおいて取り扱う各種データを記憶する。特に、記憶部４５は、画像形成装置Ｇｋの操作に対する制御権を有する操作表示部４１、５１用の操作関連情報と、非制御権を有する操作表示部４１、５１用の操作関連情報を、イベント毎（操作毎）に記憶している。この操作関連情報については、後で説明する。
【００３９】
また、記憶部４５は、例えば、画像形成装置Ｇｋが複合装置等の一般的な画像形成装置であると、図３に示すような制御権判定テーブルＴｂ１を記憶している。制御権判定テーブルＴｂ１は、イベント情報（操作内容情報）、想定ユーザ位置（適切ユーザ位置）及び制御端末が対応付けて登録されている。イベント情報は、画像形成装置Ｇｋにおいて要求される操作内容であり、図３では、トナー補給、ステープル補給、パンチくず満杯、原稿ミスフィード、用紙ミスフィード等の操作内容の一部が示されている。想定ユーザ位置は、各イベント情報毎に、そのイベント（操作内容）の操作をユーザ行うのに位置すべき適切な位置である。想定ユーザ位置としては、図３では、例えば、「トナー補給」に対しては、「本体正面（近）」が、「用紙ミスフィード」の「横面下部」に対しては、「本体横面」が登録されている。ここで、「近」とは、画像形成装置Ｇｋの操作表示部４１（以下、適宜、本体操作表示部４１という。）から比較的近くの位置が想定されていることを示している。また、「用紙ミスフィード」のイベントは、発生位置が様々で、本体正面や横面であったり、中央や下部であったりする。用紙ミスフィードの発生位置が画像形成装置Ｇｋの横面中央や横面下部であると、本体操作表示部４１を見ながらの作業が困難であるため、この場合、制御権判定テーブルＴｂ１では、「携帯端末」が制御端末に設定されている。例えば、図３の制御権判定テーブルＴｂ１の場合、イベントが「トナー補給」であると、発生位置が本体の「正面中央」であるため、ユーザがトナー補給を行う適切な位置として、「正面中央」の近くで行うと想定して、制御権判定テーブルＴｂ１には、「本体正面（近）」が想定ユーザ位置として登録されている。また、この場合、本体操作表示部４１が見える位置がユーザの作業位置となるため、「本体操作部」が制御端末として登録されている。
【００４０】
また、記憶部４５は、画像形成装置Ｇｋがプロダクションプリンタ装置であると、図４に示すような制御権判定テーブルＴｂ２を記憶している。プロダクションプリンタ装置は、一般的な複合装置等の画像形成装置とは異なり、画像形成装置Ｇｋの本体横幅が数メートルにも及ぶ。したがって、この場合、例えば、ステープル補給やパンチくず満杯のイベントが発生すると、イベント発生箇所が画像形成装置Ｇｋの本体正面であっても画像形成装置Ｇｋの操作表示部４１から遠く離れた位置での作業となる。その結果、操作表示部４１を見ながらの作業は困難となるため、図４の制御権判定テーブルＴｂ２では、この場合、制御端末が、「携帯端末」に設定されている。なお、図４で、「本体正面（遠）」とあるが、「遠」とは、画像形成装置Ｇｋの操作表示部４１から比較的遠くの位置が想定されていることを示している。
【００４１】
そして、制御権判定テーブルＴｂ１、Ｔｂ２に登録されるイベント毎の制御端末は、ユーザによる操作性を優先するが、情報の漏洩、ユーザが使い慣れている端末を優先する等によって決定されていてもよい。
【００４２】
ジョブ制御部４２は、ＣＰＵ１３により構築される。ジョブ制御部４２は、操作表示部４１での操作に応じたジョブ処理、例えば、コピー処理、スキャン処理、携帯端末ＫＴからの印刷ジョブの処理等のジョブの流れを管理・制御する。
【００４３】
制御権判断部４３は、ＣＰＵ１３で構築される。制御権判断部４３は、ジョブ制御部４２から発生したイベント情報があると、そのイベント情報に基づいて、記憶部４５の制御権判定テーブルＴｂ１、Ｔｂ２を参照して、想定ユーザ位置情報と制御端末情報を取得し、ジョブ制御部４２に渡す。
【００４４】
制御権判断部４３は、例えば、イベントが「ステープル補給」であると、図３の制御権判定テーブルＴｂ１の場合、上述のように、想定ユーザ位置として、「本体正面（近）」を、制御端末として「本体操作部」を読み出す。制御権判断部４３は、読み出した想定ユーザ位置情報と制御端末情報をジョブ制御部４２に渡す。また、制御権判断部４３は、同様に、イベントが「ステープル補給」であると、図４の制御権判定テーブルＴｂ２の場合、想定ユーザ位置として、「本体正面（遠）」を、制御端末として「本体操作部」を読み出す。制御権判断部４３は、読み出した想定ユーザ位置情報と制御端末情報をジョブ制御部４２に渡す。
【００４５】
ジョブ制御部４２は、後述するように、ユーザの現在の位置情報を位置検出部４４から取得すると、該現在のユーザ位置情報を制御権判断部４３に渡す。
【００４６】
制御権判断部４３は、現在のユーザ位置情報と、発生イベントの想定ユーザ位置及び制御権判断部４３の判断結果に基づいて、制御端末の判断を行い、判断結果をジョブ制御部４２に渡す。
【００４７】
すなわち、制御権判断部４３は、画像形成装置Ｇｋの操作表示部４１と携帯端末ＫＴの操作表示部５１のいずれに画像形成装置Ｇｋの制御権（操作権）の優位性を与えるかを判断する。
【００４８】
ジョブ制御部４２は、制御権判断部４３の判断結果に基づいて、発生したイベントに対応して制御端末と非制御端末に対して記憶部４５に登録されている操作関連情報を読み出す。すなわち、記憶部４５は、上述のように、イベント毎に、制御端末と非制御端末に対して、操作関連情報がそれぞれ登録されている。ジョブ制御部４２は、読み出した操作関連情報の画像形成装置Ｇｋと携帯端末ＫＴへ割り当てを行う。
【００４９】
したがって、ジョブ制御部４２及び制御権判断部４３は、全体として、電子機器としての画像形成装置Ｇｋに対するユーザによる操作の必要な要求操作が発生すると、該要求操作と該ユーザの現在の位置情報に基づいて記憶部４５を参照して、該要求操作に対応する操作関連情報のうち、画像形成装置Ｇｋの操作表示部（情報報知手段）４１に出力させる操作関連情報と携帯端末ＫＴの操作表示部（情報報知手段）５１に出力させる操作関連情報を決定する情報決定手段として機能している。また、ジョブ制御部４２は、決定に応じた操作関連情報を、画像形成装置Ｇｋの操作表示部４１と携帯端末ＫＴの操作表示部５１に出力させる情報出力制御手段として機能している。さらに、ジョブ制御部４２は、データ送受信部４７の受信した携帯端末ＫＴからの情報及び操作表示部４１から入力された情報に基づいて情報処理を行い、情報処理手段としても機能している。
【００５０】
位置検出部（位置情報取得手段）４４は、例えば、人感センサ１９等で構築され、画像形成装置Ｇｋ近傍の現在のユーザの位置を検出して、検出結果をジョブ制御部４２に出力する。なお、位置検出部４４は、人感センサ１９に限るものではなく、例えば、ユーザの位置を検出することのできるものであれば、カメラ等のようなものであってもよい。
【００５１】
エンジン制御部４６は、ＣＰＵ１３により構築され、読取部１１、印刷部１６等を制御して、原稿の読み取り、画像の印刷出力を行わせる。
【００５２】
データ送受信部（通信手段）４７は、ＮＩＣ２０により構築され、ジョブ制御部４２の制御下で、ネットワークＮＷを介して他の画像形成装置Ｇｋや携帯端末ＫＴと通信して、データ及び信号の授受を行う。したがって、ジョブ制御部４２は、データ送受信部４７による携帯端末ＫＴへの情報の送信を制御する通信制御手段として機能している。
【００５３】
携帯端末ＫＴの操作表示部５１は、操作表示部３１により構築される。操作表示部５１は、特に、操作関連情報の表示（出力）を行ない、入力される操作情報を取得してジョブ制御部５２へ渡す処理を行う。したがって、操作表示部５１は、各種情報を報知出力する情報報知手段として機能し、また、各種情報を操作入力する操作手段として機能している。
【００５４】
ジョブ制御部５２は、ＣＰＵ３２により構築される。ジョブ制御部５２は、操作表示部５１での操作に応じたジョブ処理、例えば、プリント印刷ジョブの画像形成装置Ｇｋへの送信処理、操作表示部５１の表示制御処理、操作表示部５１での入力信号の取得処理、入力内容に応じた動作処理等を行う。
【００５５】
記憶部５３は、ＲＯＭ３３、ＲＡＭ３４及び画像メモリ３５等で構築され、ジョブ制御部５２の制御下で、携帯端末ＫＴにおいて取り扱う各種データを記憶する。
【００５６】
次に、本実施例の作用を説明する。本実施例の画像形成システム１は、電子機器である画像形成装置Ｇｋと携帯端末ＫＴへの操作関連情報の出力を、操作性を向上させる状態で行う。
【００５７】
すなわち、画像形成システム１は、画像形成装置Ｇｋ本体の操作表示部４１での操作だけでなく、携帯端末ＫＴを使用して画像形成装置Ｇｋの操作が可能であり、また、操作案内情報等の操作関連情報を、携帯端末ＫＴの操作表示部５１へ表示させる。
【００５８】
例えば、いま、図５に示すように、ユーザによって携帯端末ＫＴの操作表示部５１を操作して、画像形成装置Ｇｋの操作アプリ（操作アプリケーション）を起動させ（Ｓ１）、ジョブ開始要求を行う。
【００５９】
携帯端末ＫＴは、アプリ起動操作が行われて、印刷ジョブの開始を指示するジョブ開始要求があると、操作表示部５１が、ジョブ制御部５２にジョブ開始要求を行う（Ｓ２）。
【００６０】
ジョブ制御部５２は、ジョブ開始要求があると、データ送受信部５４を介してジョブ開始要求を画像形成装置Ｇｋのデータ送受信部４７へ送る（Ｓ３、Ｓ４）。
【００６１】
画像形成装置Ｇｋは、データ送受信部４７が、ジョブ開始要求を受け取ると、受け取ったジョブ開始要求をジョブ制御部４２に渡す（Ｓ５）。ジョブ制御部４２は、ジョブ開始要求を受け取ると、操作表示部４１に対して、操作表示部４１のディスプレイへリモート操作中である旨の描画要求を行い（Ｓ６）、操作表示部４１は、描画要求に応じて、ディスプレイへの描画を更新する（Ｓ７）。
【００６２】
すなわち、画像形成装置Ｇｋ及び携帯端末ＫＴは、アプリ起動前においては、例えば、図６に示すような画面を、操作表示部４１のディスプレイ及び携帯端末ＫＴの操作表示部５１のディスプレイに表示させている。なお、図６では、ジョブとしてコピージョブを取り上げた場合について示しているが、ジョブとしては、コピージョブに限るものではなく、画像形成装置Ｇｋの備えているその他の機能のジョブ、例えば、スキャナジョブ、ファクシミリジョブ等であってもよい。
【００６３】
携帯端末ＫＴの操作表示部５１を使用して、アプリが起動されて、ジョブ開始要求があると、画像形成装置Ｇｋ及び携帯端末ＫＴは、図７に示すような画面を、操作表示部４１のディスプレイ及び携帯端末ＫＴの操作表示部５１のディスプレイに表示させる。
【００６４】
すなわち、図７では、携帯端末ＫＴの操作表示部５１で操作されていて、画像形成装置Ｇｋの操作表示部４１は、非制御状態となっている。
【００６５】
また、図５に示すように、ユーザによって、携帯端末ＫＴの操作表示部５１を操作して、画像形成装置Ｇｋに対して実行させるジョブのジョブ実行値の設定入力が行われると（Ｓ８）、操作表示部５１は、ディスプレイの描画更新を行う（Ｓ９）。操作表示部５１は、入力されたジョブ設定値の通知をジョブ制御部５２に対して行い（Ｓ１０）、ジョブ制御部５２は、ジョブ設定値を記憶部５３に保存する（Ｓ１１）。
【００６６】
すなわち、携帯端末ＫＴは、設定値入力操作が行われると、例えば、図８に示すようなジョブ設定値入力画面を表示する。この場合、画像形成装置Ｇｋは、携帯端末ＫＴで入力操作が行われていて、制御権の優先度が携帯端末ＫＴの方が高いため、例えば、図８に示すように、「リモートで使用中です。しばらくお待ちください。」等の表示を、操作表示部４１のディスプレイに行う。
【００６７】
さらに、図５に示すように、ユーザによって、携帯端末ＫＴの操作表示部５１を操作して、設定したジョブ設定値を利用したジョブ実行開始要求が行われると（Ｓ１２）、操作表示部５１は、ジョブ実行開始通知をジョブ制御部５２へ行う（Ｓ１３）。
【００６８】
ジョブ制御部５２は、ジョブ実行開始通知があると、記憶部５３からジョブ設定値を取得し（Ｓ１４）、取得したジョブ設定値によるジョブ開始通知をデータ送受信部５４を介して画像形成装置Ｇｋのデータ送受信部４７へ行う（Ｓ１５、Ｓ１６）。
【００６９】
ジョブ制御部５２は、ジョブ開始通知を行うと、操作表示部５１へジョブ状態の通知を行い（Ｓ１８）、操作表示部５１がディスプレイの描画を更新する（Ｓ１９）。すなわち、この場合、携帯端末ＫＴは、図９に示すようなジョブ実行開始要求画面を、操作表示部５１のディスプレイに表示し、画像形成装置Ｇｋは、操作表示部４１のディスプレイに、制御権の優先度が携帯端末ＫＴの方にある旨の表示を行う。
【００７０】
そして、画像形成装置Ｇｋのデータ送受信部４７は、ジョブ実行開始通知を受け取ると、ジョブ制御部４２にジョブ設定値をパラメータとするジョブ実行開始通知を行う（Ｓ１７）。
【００７１】
そして、画像形成装置Ｇｋは、データ送受信部４７がジョブ設定値をパラメータとするジョブ実行開始通知を受け取ると、図１０に示すように、データ送受信部４７がジョブ制御部４２にジョブ実行開始通知を行う（Ｓ２１）。
【００７２】
ジョブ制御部４２は、ジョブ設定値を伴うジョブ実行開始通知を受け取ると、エンジン制御部４６に対して、印刷開始要求を行って、エンジン制御部４６が、印刷部１６を制御して、印刷を開始する（Ｓ２２）。
【００７３】
そして、いま、例えば、印刷途中に用紙のミスフィードが発生して印刷が停止すると、エンジン制御部４６がジョブ制御部４２に対してイベント通知（用紙ミスフィード）を行う（Ｓ２３）。すなわち、用紙のミスフィードは、給紙トレイから用紙を画像形成部へ搬送する際に、途中で用紙詰まりを起こしており、ユーザにより用紙を取り除く作業が必要となる。
【００７４】
ジョブ制御部４２は、イベント通知があると、ジョブを一時停止させ（Ｓ２４）、位置検出部４４にユーザの現在位置を検出させて、位置検出部４４からユーザの現在位置を取得する（Ｓ２５）。
【００７５】
ジョブ制御部４２は、ユーザ現在位置を取得すると、該ユーザ現在位置情報とイベント情報を制御権判断部４３に渡して、制御権判断要求を行う（Ｓ２６）。
【００７６】
このとき、ジョブ制御部４２は、例えば、図１１に示すような
制御権判断部４３は、受け取ったイベント情報に基づいて記憶部４５の制御権判定テーブル、例えば、制御権判定テーブルＴｂ１を参照して、想定ユーザ位置及び制御端末の情報を取得する。制御権判断部４３は、受け取ったユーザ現在位置情報と制御権判定テーブルＴｂ１の想定ユーザ位置及び制御端末情報から制御権を有する制御端末を判定する（Ｓ８）。なお、この制御権判断処理については、後で説明する。
【００７７】
ジョブ制御部４２は、制御権判断結果を制御権判断部４３から受け取ると、該制御権判断結果に応じて操作関連情報制御処理を行なう（Ｓ２９）。この制御権判断結果に応じた操作関連情報制御処理については、後で説明する。
【００７８】
制御権判断結果に応じた操作関連情報制御に基づく、操作表示部４１のディスプレイ、操作表示部５１のディスプレイへの操作関連情報の表示に応じて、ユーザによってイベントに対応する操作が行われることで、イベント発生状態が解消される。
【００７９】
エンジン制御部４６は、イベント発生状態が解消されると、例えば、用紙ミスフィード解除のイベント通知をジョブ制御部４２に行ない（Ｓ３０）、ジョブ制御部４２は、一時停止していたジョブを再開する（Ｓ３１）。
【００８０】
そして、制御権判断部４３は、図１１に示すように制御権判断処理を行う。すなわち、制御権判断部４３は、ジョブ制御部４２からイベント情報とユーザの現在位置情報及び制御権判断要求を受け取ると、ユーザ現在位置（実際のユーザ位置）と制御権判定テーブルの想定ユーザ位置を比較する（ステップＳ１０１）。
【００８１】
制御権判断部４３は、両位置が所定の範囲で一致するかチェックする（ステップＳ１０２）。この一致判断の範囲は、予め初期値が記憶部４５等に設定登録されているが、ユーザが操作表示部４１または操作表示部５１の操作等によって適宜変更可能としてもよい。ジョブ制御部４２は、発生したイベントに基づいて、制御権判断部４３の制御権判定テーブルＴｂ１、Ｔｂ２のうち、画像形成装置Ｇｋの種類や機種に対応した制御権判定テーブルを参照して想定ユーザ位置を取得する。なお、以下の説明では、説明を明確化するために、制御権判定テーブルとして、制御権判定テーブルＴｂ１を用いるものとして説明するが、画像形成装置Ｇｋの画像形成装置Ｇｋの種類や機種に対応して制御権判断部４３に記憶している適宜の制御権判定テーブルを参照するものとする。
【００８２】
ステップＳ１０２で、両位置が一致すると（ステップＳ１０２で、ＹＥＳのとき）、制御権判断部４３は、該イベントに対する操作の制御権を有する端末（制御端末）が、携帯端末ＫＴであるか判断する（ステップＳ１０３）。
【００８３】
ステップＳ１０３で、制御端末が携帯端末ＫＴであると（ステップＳ１０３で、ＹＥＳのとき）、制御権判断部４３は、制御権端末が携帯端末ＫＴである旨と、想定ユーザ位置情報を、ジョブ制御部４２へ通知する応答を行う（ステップＳ１０４）。
【００８４】
ステップＳ１０３で、制御端末が携帯端末ＫＴでないと（ステップＳ１０３で、ＮＯのとき）、制御権判断部４３は、制御権が画像形成装置Ｇｋの本体操作表示部４１である旨と、想定ユーザ位置情報を、ジョブ制御部４２へ通知する応答を行う（ステップＳ１０５）。
【００８５】
ステップＳ１０２で、両位置が一致しないと（ステップＳ１０２で、ＮＯのとき）、制御権判断部４３は、制御権を判定することができないとして、判定不可の旨及び該イベントに対応する想定ユーザ位置情報をジョブ制御部４２へ渡す（ステップＳ１０６）。
【００８６】
そして、ジョブ制御部４２は、制御権判断結果（制御端末）と想定ユーザ位置情報を受け取るとすると、図１０のＳ２９に示したように、発生しているイベントに対応する制御端末と非制御端末に対する操作関連情報制御処理を行う。
【００８７】
すなわち、ジョブ制御部４２は、いま、図１２に示すように、制御端末が携帯端末ＫＴである旨と想定ユーザ位置情報を制御権判断部４３から受け取とるものとする。この場合、携帯端末ＫＴに制御権があるため、ジョブ制御部４２は、携帯端末ＫＴでの表示確認を要求する旨の操作関連情報の描画要求を操作表示部４１へ行う（Ｓ４１）。操作表示部４１は、描画要求に応じて、例えば、図１３の右側の操作表示部４１のような表示内容（「携帯端末に解除手順を表示しています。」）の操作関連情報の描画を行う。
【００８８】
また、ジョブ制御部４２は、ジョブ状態とともに制御権が携帯端末ＫＴにある旨の制御権通知をデータ送受信部４７を介して携帯端末ＫＴへ送信する（Ｓ４３、Ｓ４４）。
【００８９】
携帯端末ＫＴは、データ送受信部５４が制御権通知を受け取ると、データ送受信部５４が、ジョブ制御部５２に制御権通知を渡す（Ｓ４５）。
【００９０】
ジョブ制御部５２は、ジョブ状態とともに制御権通知があると、操作表示部５１にジョブ状態の操作関連情報を通知し（Ｓ４６）、操作表示部５１が、ジョブ状態の操作関連情報で描画更新を行う（Ｓ４７）。この場合、操作表示部５１は、例えば、図１３の左側の操作表示部５１のような内容（紙詰まりを解除する操作手順の解説画像）の操作関連情報の描画を行う。
【００９１】
また、ジョブ制御部４２は、図１４に示すように、制御端末が画像形成装置Ｇｋの操作表示部４１である旨と想定ユーザ位置情報を制御権判断部４３から受け取るものとする。この場合、本体画像形成装置Ｇｋの操作表示部４１に制御権があるため、ジョブ制御部４２は、ジョブ状態の通知を操作表示部４１へ行い（Ｓ５１）、操作表示部４１がジョブ状態の表示に描画を更新する（Ｓ５２）。この場合、操作表示部４１は、例えば、図１５の右側の操作表示部４１のような内容（紙詰まりを解除する操作手順の解説画像）の操作関連情報の描画を行う。
【００９２】
また、ジョブ制御部４２は、画像形成装置Ｇｋの操作表示部４１での表示確認を要求する旨の操作関連情報（本体操作表示部確認）の制御権通知をデータ送受信部４７を介して携帯端末ＫＴへ送信する（Ｓ５３、Ｓ５４）。
【００９３】
携帯端末ＫＴは、データ送受信部５４が本体操作表示部確認の制御権通知を受け取ると、データ送受信部５４が、ジョブ制御部５２に本体操作表示部確認の制御権通知を渡す（Ｓ４５）。
【００９４】
ジョブ制御部５２は、本体操作表示部確認の制御権通知があると、操作表示部５１に本体操作表示部確認の描画要求を行ない（Ｓ５６）、操作表示部５１が、本体操作表示部確認の操作関連情報で描画更新を行う（Ｓ５７）。この場合、操作表示部５１は、例えば、図１５の左側の操作表示部５１のような内容（「本体操作表示部に解除手順を表示しているます。」）の操作関連情報の描画を行う。
【００９５】
また、ジョブ制御部４２は、図１６に示すように、制御端末の判定不可の通知を制御権判断部４３から受け取るものとする。この場合、制御権が本体操作表示部４１と携帯端末ＫＴのいずれにあるか不明であるため、ジョブ制御部４２は、操作表示部４１へ、想定ユーザ位置情報を渡して描画要求を行い（Ｓ６１）、操作表示部４１が想定ユーザ位置へ案内する内容の描画を行う（Ｓ６２）。この場合、操作表示部４１は、例えば、図１７の右側の操作表示部４１のような内容（「下記の箇所に用紙が詰まっています。下記の箇所に移動すると解除手順を表示します。」）の操作関連情報の描画を行う。
【００９６】
また、ジョブ制御部４２は、想定ユーザ位置情報を伴う制御権通知をデータ送受信部４７を介して携帯端末ＫＴへ送信する（Ｓ６３、Ｓ６４）。
【００９７】
携帯端末ＫＴは、データ送受信部５４が想定ユーザ位置情報を伴う制御権通知を受け取ると、データ送受信部５４が、ジョブ制御部５２に想定ユーザ位置情報を伴う制御権通知をジョブ制御部５２に渡す（Ｓ６５）。
【００９８】
ジョブ制御部５２は、想定ユーザ位置情報を伴う制御権通知を受け取ると、操作表示部５１へ想定ユーザ位置に案内する操作関連情報の描画要求を行ない（Ｓ６６）、操作表示部５１が、想定ユーザ位置へ案内する操作関連情報の描画に更新する（Ｓ６７）。この場合、操作表示部５１は、例えば、図１７の左側の操作表示部５１のような内容（「下記の箇所に用紙が詰まっています。下記の箇所に移動すると解除手順を表示します。」）の操作関連情報の描画を行う。
【００９９】
そして、携帯端末ＫＴからのジョブ開始要求に応じた印刷中に発生したイベント、例えば、用紙ミスフィードが解除されると、ジョブ制御部４２は、ジョブ再開したことを示す操作関連情報を、携帯端末ＫＴの操作表示部５１のディスプレイに表示させる。この場合、ジョブ制御部４２は、例えば、図１８の左側に示すようなジョブであるコピーの実行を開始したことを示す内容の操作関連情報を携帯端末ＫＴの操作表示部５１に表示させる。また、ジョブ制御部４２は、画像形成装置Ｇｋの操作表示部４１のディスプレイには、図１８の右側に示すような携帯端末ＫＴによるリモート操作中であることを示す操作関連情報を表示させる。
【０１００】
なお、上記説明においては、主に、画像形成装置Ｇｋが複合装置等の通常の画像形成装置である場合について説明したが、本発明は、プロダクションプリンタ装置等にも同様に適用することができる。画像形成装置Ｇｋがプロダクションプリンタ装置であると、ジョブ制御部４２は、例えば、イベントとして、ステープル補給が発生した場合、図４に示したように、制御端末が携帯端末ＫＴであるため、携帯端末ＫＴの操作表示部１が制御端末となっている。
【０１０１】
したがって、ジョブ制御部４２は、図１９の左側に示すように、携帯端末ＫＴの操作表示部５１のディスプレイに、ステープル補給手順の操作関連情報を表示する。また、ジョブ制御部４２は、図１９の右側に示すように、画像形成装置Ｇｋの操作表示部５１のディスプレイにも、ステープル補給位置や補給を促すメッセージを表示する。
【０１０２】
また、本実施例の画像形成システム１は、画像形成装置Ｇｋの機種等に応じて、イベント毎に想定ユーザ位置が予め設定されているが、想定ユーザ位置は、イベントによって固定的に決定される場合に限るものではない。
【０１０３】
例えば、図２０に示すように、パスワード入力、テンキー入力、キーボード入力、文字入力、電話番号入力等の情報入力を行う個別イベント（特定の操作）については、個別イベントを含むイベントにおける想定ユーザ位置にかかわらず、制御端末を、携帯端末ＫＴ等に設定する。すなわち、これらの個別イベントは、ユーザが使い慣れている操作表示部４１、５１を使用することが、作業性の向上につながるため、図２０では、使い慣れている携帯端末ＫＴの操作表示部５１が制御端末として登録されている。
【０１０４】
そして、この場合、ジョブ制御部４２は、例えば、パスワード入力イベントの場合、携帯端末ＫＴの操作表示部５１のディスプレイに、図２１の左側に示すように、パスワード入力用の操作関連情報を表示させる。この場合、ジョブ制御部４２は、画像形成装置Ｇｋの操作表示部５１のディスプレイには、図２１の右側に示すように、「リモートで使用中です。しばらくお待ちください。」等の携帯端末ＫＴでリモート操作中であることを示す操作関連情報を表示させる。
【０１０５】
同様に、ジョブ制御部４２は、例えば、テンキー入力イベントの場合、携帯端末ＫＴの操作表示部５１のディスプレイに、図２２の左側に示すように、テンキー入力用の操作関連情報を表示させる。この場合、ジョブ制御部４２は、画像形成装置Ｇｋの操作表示部５１のディスプレイには、図２２の右側に示すように、「リモートで使用中です。しばらくお待ちください。」等の携帯端末ＫＴでリモート操作中であることを示す操作関連情報を表示させる。
【０１０６】
また、ジョブ制御部４２は、例えば、キーボード入力イベントの場合、携帯端末ＫＴの操作表示部５１のディスプレイに、図２３の左側に示すように、キーボード入力用のを表示させる。この場合、ジョブ制御部４２は、画像形成装置Ｇｋの操作表示部５１のディスプレイには、図２３の右側に示すように、「リモートで使用中です。しばらくお待ちください。」等の携帯端末ＫＴでリモート操作中であることを示す操作関連情報を表示させる。
【０１０７】
さらに、ジョブ制御部４２は、例えば、文字入力イベントの場合、携帯端末ＫＴの操作表示部５１のディスプレイに、図２４の左側に示すように、文字入力用の操作関連情報を表示させる。この場合、ジョブ制御部４２は、画像形成装置Ｇｋの操作表示部５１のディスプレイには、図２４の右側に示すように、「リモートで使用中です。しばらくお待ちください。」等の携帯端末ＫＴでリモート操作中であることを示す操作関連情報を表示させる。
【０１０８】
また、ジョブ制御部４２は、例えば、電話番号入力イベントの場合、携帯端末ＫＴの操作表示部５１のディスプレイに、図２５の左側に示すように、電話番号入力用の操作関連情報を表示させる。この場合、ジョブ制御部４２は、画像形成装置Ｇｋの操作表示部５１のディスプレイには、図２５の右側に示すように、「リモートで使用中です。しばらくお待ちください。」等の携帯端末ＫＴでリモート操作中であることを示す操作関連情報を表示させる。
【０１０９】
このようにすると、ユーザが通常使い慣れた操作表示部４１、５１を使用して、そのディスプレイを操作関連情報の出力先として、該操作関連情報を見ながら操作することができ、利用性を向上させることができる。
【０１１０】
そして、上記個別イベントに対する制御端末としては、ユーザが適宜設定可能としてもよい。例えば、図２０に示した個別イベントの場合、ジョブ制御部４２は、制御端末である携帯端末ＫＴの操作表示部５１で、制御端末切替要求操作が行われると、例えば、図２６に示すような制御端末切替画面Ｇ１を、該操作表示部５１のディスプレイに表示する。
【０１１１】
ユーザが制御端末切替画面Ｇ１を操作して、個別イベントを指定して、制御端末の切替操作を行うと、ジョブ制御部４２は、図２７に示すように、該切替操作に応じた制御権切替要求を画像形成装置Ｇｋに行う。
【０１１２】
すなわち、ジョブ制御部４２は、ユーザによって、携帯端末ＫＴの操作表示部５１の制御端末切替画面Ｇ１において個別イベントを指定して切替ボタンが押下されると（Ｓ７１）、該個別イベントの制御権の画像形成装置Ｇｋへの切替要求をジョブ制御部５２に出す。すなわち、操作表示部５１は、画像形成装置Ｇｋへの制御権切替要求をジョブ制御部５２に出す（Ｓ７２）。
【０１１３】
ジョブ制御部５２は、画像形成装置Ｇｋへの制御権切替要求を、データ送受信部５４を介して画像形成装置Ｇｋへ送信する（Ｓ７３、Ｓ７４）。
【０１１４】
画像形成装置Ｇｋのデータ送受信部４７は、画像形成装置Ｇｋへの制御権切替要求を受け取ると、該制御権切替要求をジョブ制御部４２へ渡す（Ｓ７５）。
【０１１５】
ジョブ制御部４２は、制御権切替要求を受け取ると、操作表示部４１に該制御権切替要求に対応する個別イベントの操作関連情報の描画要求を操作表示部４１へ行う（Ｓ４２）。
【０１１６】
操作表示部４１は、描画切替要求に応じて、個別イベントの操作関連情報を、画像形成装置Ｇｋの操作表示部４１に切り替えたときの操作関連情報に描画を更新する（Ｓ７７）。例えば、操作表示部４１は、図２１から図２５の携帯端末ＫＴの操作表示部５１のディスプレイに表示していたような操作関連情報の描画に更新する。
【０１１７】
また、携帯端末ＫＴのジョブ制御部５２は、操作表示部５１のディスプレイの表示する操作関連情報を、例えば、図２１から図２５の画像形成装置Ｇｋの操作表示部５１のディスプレイに表示していたような操作関連情報の描画に更新する（Ｓ７８）。
【０１１８】
このようにすると、ユーザの意図する操作表示部４１、５１で、操作関連情報を見ながら操作することができ、より一層利用性を向上させることができる。
【０１１９】
さらに、上記操作関連情報の表示出力においては、例えば、図２８に示すように、操作表示部４１、５１のディスプレイの大きさを考慮した表示内容としてもよい。すなわち、図２８では、携帯端末ＫＴの操作表示部５１のディスプレイが大きく、制御権端末である携帯端末ＫＴに表示する操作関連情報（図２８の左側下段）だけでなく、画像形成装置Ｇｋに表示する操作関連情報（図２８左側上段）をも表示している。
【０１２０】
このようにすると、ユーザは、イベントの操作に直接関連する情報だけでなく、より多くの情報を確認しつつ操作することができ、利用性をより一層向上させることができる。
【０１２１】
このように、本実施例の画像形成システム１は、操作表示部（情報報知手段）４１と操作表示部（操作手段）４１を備え該情報報知手段としての操作表示部４１への情報報知と該操作手段としての操作表示部４１からの操作に応じて情報処理を行う画像形成装置（電子機器）Ｇｋと、該画像形成装置Ｇｋと通信して該画像形成装置Ｇｋの操作に必要な情報を報知出力する操作表示部（情報報知手段）５１と該画像形成装置Ｇｋの操作情報を入力する操作表示部（操作手段）５１を備えた携帯端末ＫＴと、を備えた操作情報出力システムであって、ユーザの現在の位置情報を取得する位置検出部（位置情報取得手段）４４と、前記ユーザによる操作毎に、前記画像形成装置Ｇｋの前記情報報知手段としての操作表示部４１と前記携帯端末ＫＴの前記情報報知手段としての操作表示部５１に出力させる該操作に必要な操作関連情報を該ユーザの位置情報に関連付けて記憶する記憶部（記憶手段）４５と、前記画像形成装置Ｇｋに対する前記ユーザによる操作の必要な要求操作が発生すると、該要求操作と該ユーザの現在の位置情報に基づいて前記記憶部４５を参照して、該要求操作に対応する前記操作関連情報のうち、前記画像形成装置Ｇｋの前記情報報知手段としての操作表示部４１に出力させる操作関連情報と前記携帯端末ＫＴの前記情報報知手段としての操作表示部５１に出力させる操作関連情報を決定する情報決定手段としてのジョブ制御部４２及び制御権判断部４３と、前記決定に応じた前記操作関連情報を、前記画像形成装置Ｇｋの前記情報報知手段としての操作表示部４１と前記携帯端末ＫＴの前記情報報知手段としての操作表示部５１に出力させるジョブ制御部（情報出力制御手段）５２と、を備えている。
【０１２２】
したがって、要求操作とユーザ位置の双方に基づいて画像形成装置（電子機器）Ｇｋと携帯端末ＫＴへの操作関連情報の出力を制御することができ、画像形成装置Ｇｋと携帯端末ＫＴへの操作関連情報の出力を、操作性を向上させる状態で行うことができる。
【０１２３】
また、本実施例の画像形成システム１は、情報処理を行う画像形成装置（電子機器）Ｇｋと携帯端末ＫＴとを有する操作情報出力システムであって、前記携帯端末ＫＴは、前記画像形成装置Ｇｋと通信するデータ送受信部（通信手段）５４と、各種情報を報知出力する操作表示部（情報報知手段）５１と、各種情報を操作入力する操作表示部（操作手段）５１と、前記データ送受信部５４の受信した情報を前記情報報知手段としての操作表示部５１に報知出力させ、前記操作手段としての操作表示部５１で入力された情報を該データ送受信部５４に前記画像形成装置Ｇｋへ送信させるジョブ制御部（通信制御手段）５２と、を備え、前記画像形成装置Ｇｋは、前記携帯端末ＫＴと通信するデータ送受信部（通信手段）４７と、各種情報を報知出力する操作表示部（情報報知手段）４１と、各種情報を操作入力する操作表示部（操作手段）４１と、前記データ送受信部４７の受信した前記携帯端末ＫＴからの情報及び前記操作手段としての操作表示部４１から入力された情報に基づいて情報処理を行う情報処理手段としてのジョブ制御部４２及びエンジン制御部４６と、前記データ送受信部４７による前記携帯端末ＫＴへの情報の送信を制御するジョブ制御部（通信制御手段）４２と、ユーザの現在の位置情報を取得する位置検出部（位置情報取得手段）４４と、前記ユーザによる操作毎に、前記画像形成装置Ｇｋの前記情報報知手段としての操作表示部４１と前記携帯端末ＫＴの前記情報報知手段としての操作表示部５１に出力させる該操作に必要な操作関連情報を該ユーザの位置情報に関連付けて記憶する記憶部（記憶手段）４５と、前記画像形成装置Ｇｋに対する前記ユーザによる操作の必要な要求操作が発生すると、該要求操作と該ユーザの現在の位置情報に基づいて前記記憶部４５を参照して、該要求操作に対応する前記操作関連情報のうち、該画像形成装置Ｇｋの前記情報報知手段としての操作表示部４１に出力させる操作関連情報と前記携帯端末ＫＴの前記情報報知手段としての操作表示部５１に出力させる操作関連情報を決定する情報決定手段としてのジョブ制御部４２と制御権判断部４３と、前記決定に応じた前記操作関連情報を、前記画像形成装置Ｇｋの前記情報報知手段としての操作表示部４１と前記携帯端末ＫＴの前記情報報知手段としての操作表示部５１に出力させるジョブ制御部（情報出力制御手段）４２と、を備えている。
【０１２４】
したがって、要求操作とユーザ位置の双方に基づいて画像形成装置（電子機器）Ｇｋと携帯端末ＫＴへの操作関連情報の出力を制御することができ、画像形成装置Ｇｋと携帯端末ＫＴへの操作関連情報の出力を、操作性を向上させる状態で行うことができる。
【０１２５】
また、本実施例の画像形成システム１は、操作表示部（情報報知手段）４１と操作表示部（操作手段）４１を備え該情報報知手段としての操作表示部４１への情報報知と該操作手段としての操作表示部４１からの操作に応じて情報処理を行う画像形成装置（電子機器）Ｇｋと、該画像形成装置Ｇｋと通信して該画像形成装置Ｇｋの操作に必要な情報を報知出力する操作表示部（情報報知手段）５１と該画像形成装置Ｇｋの操作情報を入力する操作表示部（操作手段）５１を備えた携帯端末ＫＴと、を備えた操作情報出力システムの実行する操作情報出力方法であって、ユーザの現在の位置情報を取得する位置情報取得処理ステップと、前記画像形成装置Ｇｋに対する前記ユーザによる操作の必要な要求操作が発生すると、該ユーザの現在の位置情報に基づいて、前記ユーザによる操作毎に該画像形成装置Ｇｋの前記情報報知手段としての操作表示部４１と前記携帯端末ＫＴの前記情報報知手段としての操作表示部５１に出力させる該操作に必要な操作関連情報を該ユーザの位置情報に関連付けて記憶する記憶部（記憶手段）４５を参照して、該要求操作に対応する該操作関連情報のうち、該画像形成装置Ｇｋの該情報報知手段としての操作表示部４１に出力させる操作関連情報と該携帯端末ＫＴの該情報報知手段としての操作表示部５１に出力させる操作関連情報を決定する情報決定処理ステップと、前記決定に応じた前記操作関連情報を、前記画像形成装置Ｇｋの前記情報報知手段としての操作表示部４１と前記携帯端末ＫＴの前記情報報知手段としての操作表示部５１に出力させる情報出力制御処理ステップと、有する操作情報出力方法を実行する。
【０１２６】
したがって、要求操作とユーザ位置の双方に基づいて画像形成装置（電子機器）Ｇｋと携帯端末ＫＴへの操作関連情報の出力を制御することができ、画像形成装置Ｇｋと携帯端末ＫＴへの操作関連情報の出力を、操作性を向上させる状態で行うことができる。
【０１２７】
さらに、本実施例の画像形成システム１は、操作表示部（情報報知手段）４１と操作表示部（操作手段）４１を備え該情報報知手段としての操作表示部４１への情報報知と該操作手段としての操作表示部４１からの操作に応じて情報処理を行うとともに、操作表示部（操作手段）５１と操作表示部（情報報知手段）５１を備えた携帯端末ＫＴと通信して、該操作手段としての操作表示部５１からの操作内容を受け取り、また、該情報報知手段としての操作表示部５１に報知情報を送信する画像形成装置（電子機器）Ｇｋの搭載する操作情報出力プログラムであって、ＣＰＵ１３等の制御プロセッサに、ユーザの現在の位置情報を取得する位置情報取得処理と、前記画像形成装置Ｇｋに対する前記ユーザによる操作の必要な要求操作が発生すると、該要求操作と該ユーザの現在の位置情報に基づいて、前記ユーザによる操作毎に該画像形成装置Ｇｋの前記情報報知手段としての操作表示部４１と前記携帯端末ＫＴの前記情報報知手段としての操作表示部５１に出力させる該操作に必要な操作関連情報を該ユーザの位置情報に関連付けて記憶する記憶部（記憶手段）４５を参照して、該要求操作に対応する該操作関連情報のうち、該画像形成装置Ｇｋの該情報報知手段としての操作表示部４１に出力させる操作関連情報と該携帯端末ＫＴの該情報報知手段としての操作表示部５１に出力させる操作関連情報を決定する情報決定処理と、前記決定に応じた前記操作関連情報を、前記画像形成装置Ｇｋの前記情報報知手段としての操作表示部４１と前記携帯端末ＫＴの前記情報報知手段としての操作表示部５１に出力させる情報出力制御処理と、を実行させる操作情報出力プログラムを、画像形成装置Ｇｋが搭載している。
【０１２８】
したがって、画像形成装置Ｇｋが操作情報出力プログラムを実行することで、要求操作とユーザ位置の双方に基づいて画像形成装置（電子機器）Ｇｋと携帯端末ＫＴへの操作関連情報の出力を制御することができる。その結果、画像形成装置Ｇｋと携帯端末ＫＴへの操作関連情報の出力を、操作性を向上させる状態で行うことができる。
【０１２９】
また、本実施例の画像形成システム１は、前記情報決定手段としてのジョブ制御部４２と制御権判断部４３が、前記要求操作と前記ユーザの現在の位置情報に基づいて、前記画像形成装置Ｇｋに対する操作制御権を該画像形成装置Ｇｋと前記携帯端末ＫＴのいずれの前記操作手段としての操作表示部４１、５１に付与するかを決定し、該決定に基づいて前記操作関連情報を決定する。
【０１３０】
したがって、画像形成装置Ｇｋと携帯端末ＫＴに出力する操作関連情報を、画像形成装置Ｇｋに対する操作制御権を決定した上で、該操作制御権に応じて決定することができ、操作制御権と操作関連情報を対応させた状態で制御することができる。その結果、画像形成装置Ｇｋと携帯端末ＫＴへの操作関連情報の出力を、操作性をより一層向上させる状態で行うことができる。
【０１３１】
さらに、本実施例の画像形成システム１は、前記画像形成装置Ｇｋの前記情報報知手段としての操作表示部４１と前記携帯端末ＫＴの前記情報報知手段としての操作表示部５１における前記操作関連情報の出力内容を切り替える操作表示部（切替手段）４１を、さらに備え、前記ジョブ制御部（情報出力制御手段）４２が、前記切替手段としての操作表示部４１による切替操作に応じて、前記画像形成装置Ｇｋの前記情報報知手段としての操作表示部４１と前記携帯端末ＫＴの前記情報報知手段としての操作表示部５１における前記操作関連情報の出力内容を切り替える。
【０１３２】
したがって、ユーザの意図に応じて、画像形成装置（電子機器）Ｇｋと携帯端末ＫＴへの操作関連情報の出力を制御することができる。その結果、画像形成装置Ｇｋと携帯端末ＫＴへの操作関連情報の出力を、操作性をより一層向上させる状態で行うことができる。
【０１３３】
また、本実施例の画像形成システム１は、前記記憶部４５が、前記操作毎に、該操作を前記ユーザが実行する際に適切な想定ユーザ位置（適切ユーザ位置）と前記画像形成装置Ｇｋの前記情報報知手段としての操作表示部４１と前記携帯端末ＫＴの前記情報報知手段としての操作表示部５１に出力する前記操作関連情報を記憶しており、前記情報決定手段としてのジョブ制御部４２と制御権判断部４３が、前記想定ユーザ位置とユーザの現在の位置とに所定以上のずれがあると、前記画像形成装置Ｇｋと前記携帯端末ＫＴの前記情報報知手段としての操作表示部４１、５１うち、少なくともいずれかの操作表示部４１、５１に、該ユーザを該想定ユーザ位置へ案内する案内情報を前記操作関連情報として出力させる。
【０１３４】
したがって、要求操作が発生した時に、ユーザが想定ユーザ位置にいなくても、適切に、想定ユーザ位置に案内して操作関連情報に基づいて、要求操作が行えるようにすることができる。その結果、より一層利用性を向上させることができる。
【０１３５】
さらに、本実施例の画像形成システム１は、前記記憶部４５が、特定の前記操作に対して、該操作毎に、前記ユーザの位置情報とは無関係に前記画像形成装置Ｇｋの前記情報報知手段としての操作表示部４１と前記携帯端末ＫＴの前記情報報知手段としての操作表示部５１に出力させる該操作に必要な操作関連情報を記憶している。
【０１３６】
したがって、パスワード入力、テンキー入力、キーボード入力、文字入力、電話番号入力等の情報入力を行う個別イベントについては、該操作や操作関連情報の確認に適した操作表示部４１、５１に操作関連情報を出力することができる。その結果、より一層利用性を向上させることができる。
【０１３７】
また、本実施例の画像形成システム１は、前記記憶部４５が、特定の前記操作としての各種文字入力操作に対して、該操作毎に、前記ユーザの位置情報とは無関係に、該ユーザによる該操作の頻度が高い方の前記操作手段としての操作表示部４１、５１に対応させて前記操作関連情報を記憶する。
【０１３８】
したがって、パスワード入力、テンキー入力、キーボード入力、文字入力、電話番号入力等の情報入力を行う個別イベントについては、該操作にユーザが頻繁に使用している操作表示部４１、５１に対応した操作表示部４１、５１に操作関連情報を出力することができる。その結果、より一層利用性を向上させることができる。
【０１３９】
さらに、本実施例の画像形成システム１の画像形成装置Ｇｋは、操作表示部（情報報知手段）４１と操作表示部（操作手段）４１を備え該情報報知手段としての操作表示部４１への情報報知と該操作手段としての操作表示部４１からの操作に応じて情報処理を行うとともに、操作表示部（操作手段）５１と操作表示部（情報報知手段）５１を備えた携帯端末ＫＴと通信して、該操作手段としての操作表示部５１からの操作内容を受け取り、また、該情報報知手段としての操作表示部５１に報知情報を送信する画像形成装置（電子機器）Ｇｋであって、ユーザの現在の位置情報を取得する位置検出部（位置情報取得手段）４４と、前記ユーザによる操作毎に、前記画像形成装置Ｇｋの前記情報報知手段としての操作表示部４１と前記携帯端末ＫＴの前記情報報知手段としての操作表示部５１に出力させる該操作に必要な操作関連情報を該ユーザの位置情報に関連付けて記憶する記憶部（記憶手段）４５と、前記画像形成装置Ｇｋに対する前記ユーザによる操作の必要な要求操作が発生すると、該要求操作と該ユーザの現在の位置情報に基づいて前記記憶部４５を参照して、該要求操作に対応する前記操作関連情報のうち、前記画像形成装置Ｇｋの前記情報報知手段としての操作表示部４１に出力させる操作関連情報と前記携帯端末ＫＴの前記情報報知手段としての操作表示部５１に出力させる操作関連情報を決定する情報決定手段としてのジョブ制御部４２と制御権判断部４３と、前記決定に応じた前記操作関連情報を、前記画像形成装置Ｇｋの前記情報報知手段としての操作表示部４１と前記携帯端末ＫＴの前記情報報知手段としての操作表示部５１に出力させるジョブ制御部（情報出力制御手段）５２と、を備えている。
【０１４０】
したがって、要求操作とユーザ位置の双方に基づいて画像形成装置（電子機器）Ｇｋと携帯端末ＫＴへの操作関連情報の出力を制御することができ、画像形成装置Ｇｋと携帯端末ＫＴへの操作関連情報の出力を、操作性を向上させる状態で行うことができる。
【０１４１】
また、本実施例の画像形成システム１の画像形成装置Ｇｋは、前記情報決定手段としてのジョブ制御部４２と制御権判断部４３が、前記要求操作と前記ユーザの現在の位置情報に基づいて、前記画像形成装置Ｇｋに対する操作制御権を該画像形成装置Ｇｋと前記携帯端末ＫＴのいずれの前記操作手段としての操作表示部４１、５１に付与するかを決定し、該決定に基づいて前記操作関連情報を決定する。
【０１４２】
したがって、画像形成装置Ｇｋと携帯端末ＫＴに出力する操作関連情報を、画像形成装置に対する操作制御権を決定した上で、該操作制御権に応じて決定することができ、操作制御権と操作関連情報を対応させた状態で制御することができる。その結果、画像形成装置Ｇｋと携帯端末ＫＴへの操作関連情報の出力を、操作性をより一層向上させる状態で行うことができる。
【０１４３】
さらに、本実施例の画像形成システム１の画像形成装置Ｇｋは、前記画像形成装置Ｇｋの前記情報報知手段としての操作表示部４１と前記携帯端末ＫＴの前記情報報知手段としての操作表示部５１における前記操作関連情報の出力内容を切り替える操作表示部（切替手段）４１を、さらに備え、前記ジョブ制御部（情報出力制御手段）４２が、前記切替手段としての操作表示部４１による切替操作に応じて、前記画像形成装置Ｇｋの前記情報報知手段としての操作表示部４１と前記携帯端末ＫＴの前記情報報知手段としての操作表示部５１における前記操作関連情報の出力内容を切り替える。
【０１４４】
したがって、ユーザの意図に応じて、画像形成装置（電子機器）Ｇｋと携帯端末ＫＴへの操作関連情報の出力を制御することができる。その結果、画像形成装置Ｇｋと携帯端末ＫＴへの操作関連情報の出力を、操作性をより一層向上させる状態で行うことができる。
【０１４５】
また、本実施例の画像形成システム１の画像形成装置Ｇｋは、前記記憶部４５が、前記操作毎に、該操作を前記ユーザが実行する際に適切な想定ユーザ位置（適切ユーザ位置）と前記画像形成装置Ｇｋの前記情報報知手段としての操作表示部４１と前記携帯端末ＫＴの前記情報報知手段としての操作表示部５１に出力する前記操作関連情報を記憶しており、前記情報決定手段としてのジョブ制御部４２と制御権判断部４３が、前記想定ユーザ位置とユーザの現在の位置とに所定以上のずれがあると、前記画像形成装置Ｇｋと前記携帯端末ＫＴの前記情報報知手段としての操作表示部４１、５１うち、少なくともいずれかの操作表示部４１、５１に、該ユーザを該想定ユーザ位置へ案内する案内情報を前記操作関連情報として出力させる。
【０１４６】
したがって、要求操作が発生した時に、ユーザが想定ユーザ位置にいなくても、適切に、想定ユーザ位置に案内して操作関連情報に基づいて、要求操作が行えるようにすることができる。その結果、より一層利用性を向上させることができる。
【０１４７】
さらに、本実施例の画像形成システム１の画像形成装置Ｇｋは、前記記憶部４５が、特定の前記操作に対して、該操作毎に、前記ユーザの位置情報とは無関係に前記画像形成装置Ｇｋの前記情報報知手段としての操作表示部４１と前記携帯端末ＫＴの前記情報報知手段としての操作表示部５１に出力させる該操作に必要な操作関連情報を記憶している。
【０１４８】
したがって、パスワード入力、テンキー入力、キーボード入力、文字入力、電話番号入力等の情報入力を行う個別イベントについては、該操作や操作関連情報の確認に適した操作表示部４１、５１に操作関連情報を出力することができる。その結果、より一層利用性を向上させることができる。
【０１４９】
また、本実施例の画像形成システム１の画像形成装置Ｇｋは、前記記憶部４５が、特定の前記操作としての各種文字入力操作に対して、該操作毎に、前記ユーザの位置情報とは無関係に、該ユーザによる該操作の頻度が高い方の前記操作手段としての操作表示部４１、５１に対応させて前記操作関連情報を記憶する。
【０１５０】
したがって、パスワード入力、テンキー入力、キーボード入力、文字入力、電話番号入力等の情報入力を行う個別イベントについては、該操作にユーザが頻繁に使用している操作表示部４１、５１に対応した操作表示部４１、５１に操作関連情報を出力することができる。その結果、より一層利用性を向上させることができる。
【０１５１】
さらに、本実施例の画像形成システム１は、その電子機器が、情報処理として画像処理を行う画像形成装置Ｇｋである。
【０１５２】
したがって、画像形成装置Ｇｋの操作表示部４１と携帯端末ＫＴの操作表示部５１を使用して、画像形成装置Ｇｋを操作する場合にも、要求操作とユーザ位置の双方に基づいて画像形成装置Ｇｋと携帯端末ＫＴへの操作関連情報の出力を制御することができる。その結果、画像形成装置Ｇｋと携帯端末ＫＴへの操作関連情報の出力を、操作性を向上させる状態で行うことができる。
【０１５３】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【０１５４】
１  画像形成システム
Ｇｋ  画像形成装置
ＫＴ  携帯端末
ＮＷ  ネットワーク
１１  読取部
１２  操作表示部
１３  ＣＰＵ
１４  ＲＯＭ
１５  ＲＡＭ
１６  印刷部
１７  画像メモリ
１８  ハードディスク
１９  人感センサ
２０  ＮＩＣ
２１  バス
３１  操作表示部
３２  ＣＰＵ
３３  ＲＯＭ
３４  ＲＡＭ
３５  画像メモリ
３６  ＮＩＣ
３７  バス
４１  操作表示部
４２  ジョブ制御部
４３  制御権判断部
４４  位置検出部
４５  記憶部
４６  エンジン制御部
４７  データ送受信部
５１  操作表示部
５２  ジョブ制御部
５３  記憶部
５４  データ送受信部
Ｔｂ１、Ｔｂ２  制御権判定テーブル
【先行技術文献】
【特許文献】
【０１５５】
【特許文献１】特開２０１４−０４５４１８号公報
【特許文献２】特開２０１４−２５６０６０号公報
【図１】
2016115222.tif 000003
【図２】
2016115222.tif 000004
【図３】
2016115222.tif 000005
【図４】
2016115222.tif 000006
【図５】
2016115222.tif 000007
【図６】
2016115222.tif 000008
【図７】
2016115222.tif 000009
【図８】
2016115222.tif 000010
【図９】
2016115222.tif 000011
【図１０】
2016115222.tif 000012
【図１１】
2016115222.tif 000013
【図１２】
2016115222.tif 000014
【図１３】
2016115222.tif 000015
【図１４】
2016115222.tif 000016
【図１５】
2016115222.tif 000017
【図１６】
2016115222.tif 000018
【図１７】
2016115222.tif 000019
【図１８】
2016115222.tif 000020
【図１９】
2016115222.tif 000021
【図２０】
2016115222.tif 000022
【図２１】
2016115222.tif 000023
【図２２】
2016115222.tif 000024
【図２３】
2016115222.tif 000025
【図２４】
2016115222.tif 000026
【図２５】
2016115222.tif 000027
【図２６】
2016115222.tif 000028
【図２７】
2016115222.tif 000029
【図２８】
2016115222.tif 000030